(57)【要約】【課題】本を机上に開いたときに、手を離しても開いた状態を保持すると同時に、シートを透かして開いたページを十分読み取ることができるようにすること、およびシート状拡大レンズや、記憶を目的とした色付きフィルム等が取り付けられるようにすることを課題とする。【解決手段】ブックカバー本体１の両表紙カバー部のうち、片側の小口の一辺または両側の小口の一辺に、頁を押さえて開いた状態を保持する重量を有する透明ウエイトシート２を連結して、開いた頁の上に折り返して押さえることができるようにしたものである。また、透明ウエイトシート２にポケット構造を設けることによりシート状拡大レンズ等の機能性シート形状体を取り付けられるようにしたものである。【選択図】図１
2004358816.tif 000002
【特許請求の範囲】
【請求項１】
ブックカバー本体、透明で頁を押さえる重量のある透明ウエイトシート、およびこれらを連結する透明な結合材料から構成され、手を離しても本が閉じてしまうあるいはページがめくれてしまうことがように、透明ウエイトシートを開いた頁の上に被せることで開いた状態を保持する透明ウエイトブックカバー。
【請求項２】
請求項１に示す透明ウエイトブックカバーであって、透明ウエイトシートに透明なポケット構造を付加し、ポケット構造に色付きフィルムなど機能性シート形状体を取り付けられるようにしたブックカバー。
【発明の詳細な説明】
【０００１】
【発明の属する技術分野】
本発明は、手や他の物で押さえることなく平面上に開いた本を、記事が読める状態で保持するブックカバーに関するものである。
【０００２】
【従来の技術】
従来、ブックカバーは本の表紙等の装丁を保護する、または表紙の書名が見えないようにするなどの目的で利用されていたが、本の頁を開いて保持することを目的とするものはなかった。
【０００３】
従来、開いたページを見るときに、シート状拡大レンズや、記憶を目的とした色付きフィルム等、記事を見るための特別な機能を有するシート形状体が取り付けられるブックカバーはなかった。
【０００４】
【発明が解決しようとする課題】
本発明は０００２に示す問題を解決し、本を机上に開いたときに、手を離しても開いた状態を保持すると同時に、シートを透かして開いたページを十分読み取ることができるようにすることを課題とする。
【０００５】
本発明は０００２、０００３に示す問題を解決し、細かい字を読むときに使用するシート状拡大レンズや、記憶を目的とした色付きフィルムまたは半頁を不透明にしたシート等が取り付けられるようにすることを課題とする。
【０００６】
【課題を解決するための手段】
本発明は０００４に示す課題に対して、開いた本の状態を保持するため、ブックカバー本体１の両表紙カバー部のうち、片側の小口の一辺または両側の小口の一辺に、頁を押さえて開いた状態を保持する重量を有する透明ウエイトシート２を連結して、開いた頁の上に折り返して押さえることができるようにしたものである。本５の開いた状態を保持するために頁を押さえる必要があるのは、二つの場合があり、一つは開いた片方の頁厚みが本全体の頁厚みに対して小さいため、背表紙面が薄い側の方へ真横に向いている場合である。この場合は薄い側の頁厚みを折り広げたものが戻らないように透明ウエイトシート２の重量がはたらくことになる。よってこの場合は、透明ウエイトシート２の片側だけの使用でも開いた状態を保持することができる。またもう一つは、開いた状態で背表紙面が全体として下方を向いている場合であり、この場合は開いた頁を軽く押さえると同時に透明ウエイトシートの重量でバランスを取ることにより、頁を開いた状態を保持する。よってこの場合は、透明ウエイトシート２が両方働いて安定して開いた状態を保持する。
【０００７】
本発明は０００４に示す課題に対して、透明ウエイトシート２を連結する結合材料３として、折り返すために十分な柔軟性を有し、本を開いた状態の小口部分を覆う幅を有するものとする。
【０００８】
本発明は０００４に示す課題に対して、透明ウエイトシート２を二重にして二辺または三辺を綴じ合わせる等のポケット構造を設けることにより機能性シート形状体を取り付けられるようにしたものである。
【０００９】
【発明の実施の形態】
開いた頁を押さえるのに必要な透明ウエイトシート２の大きさは、対象とする本５から綴じしろ分を引いた大きさを越えないサイズとして、本５を閉じたときにはみ出さないようにしたものとする。
【００１０】
シート状拡大レンズ４１等の機能性シート形状体を取り付けるのに必要な透明ウエイトシート２の形状として、袋状に二辺または三辺が閉じている二重のシートとしたものあるいは挿入するための枠を付けたものである。
【００１１】
透明ウエイトシート２をブックカバー本体１に連結する結合材料３の幅として、対象とする本５の厚み以上の幅として、開いた頁を押さえるときに厚み分を覆うために十分な幅とする。
【００１２】
結合材料３を介して透明ウエイトシート２を連結するブックカバー本体１の位置として、ブックカバー本体１の前小口側の辺または天小口側の辺または地小口側の辺とする。
【００１３】
【実施例】
文庫サイズ、新書サイズ、Ａ５サイズ（教科書等）、Ｂ５サイズ（雑誌等）、Ａ４サイズなどの定型サイズに合わせた透明ウエイトブックカバーを製作することで、汎用性を有する例となる。
【００１４】
【発明の効果】
勉強において、机上に教科書と参考書を広げて、それらを読みながらノートにまとめるとき等、片手で教科書等を押さえておく必要がなく作業が楽になり、頁を開いておくために気を使う必要がなくなる。これは事務仕事を行う場合においても、参照する図書を開いたときの状態を保持することにより、事務仕事の負荷を低減させる等、同様の効果を得られる。読書をする場合においても本発明を利用すれば手を離すことができるため、コーヒーなどの飲み物を飲みながら、ＢＧＭを選曲しながら、気に入った文章を抜書きしながら等、他の単純作業と並行して本を読み進めることができる。
【００１５】
本を閉じるときは、透明ウエイトシート２を頁に被せたまま閉じることによりしおりなどをはさむ手間が不要であり、更に次に開くときも簡単にその頁を開くことができる。また勉強において、授業で進んだ頁で透明ウエイトシート２を被せたまま閉じることで、帰宅後の復習や予習のために簡単に目安となる頁を広げることができる。また机上で本を開いたとき万一閉じる力が強く本が閉じてしまった場合でも、左右どちらかの透明ウエイトシート２がしおりの代わりとなり元の頁を容易に開くことができる。
【００１６】
通勤通学列車の中で文庫本を読む場合は片側の透明ウエイトシート２を使用することで、透明ウエイトシート２がはさまった頁を簡単に開くことができ、また本を傾けて透明ウエイトシート２を下ろして頁をめくった後再度透明ウエイトシート２を被せることが片手でできるようになる。これにより、片手にカバン等を持っていても他方の手で苦慮せずに本を読むことができ、周りの人が駅で乗り降りするときの移動のため一度本を閉じるとき等、しおりをはさみこむ手間をかけずにそのまま閉じてすぐに開くことができるようになり便利である。
【００１７】
透明ウエイトシート２に、拡大レンズ等の別の機能をもつ機能性シート形状体が取り付けられるため、小さな字を読みづらい人や、暗記をしたい人などの役に立ち、それらの機能性シート形状体を被せたり外したりする動作も本を持つ片方の手で行うことができるようになる。本発明は、ブックカバーとしての本来の機能を阻害せず、新しい機能を付加した複合的なブックカバーである。
【図面の簡単な説明】
【図１】ブックカバー本体の前小口側両方に透明ウエイトシートを連結したものを本に装着する例を示す斜視図
【図２】ブックカバー本体の天小口側両方に透明ウエイトシートを連結したものを本に装着する例を示す斜視図
【図３】頁を開いた片側の厚みが本全体の厚みに対して小さい場合の状態を示す斜視図である。
【図４】頁を開いて背表紙面が全体として下方を向いている状態を示す斜視図である。
【図５】透明ウエイトシートに設けたポケットに、シート状拡大レンズと色付きフィルムを取り付ける例を示す斜視図である。
【符号の説明】
１  ブックカバー本体
１１  前小口側辺
１２  天小口側辺
１３  地小口側辺
２  透明ウエイトシート
３  結合材料
４１  シート状拡大レンズ
４２  色付きフィルム
５  本
【図１】
2004358816.tif 000003
【図２】
2004358816.tif 000004
【図３】
2004358816.tif 000005
【図４】
2004358816.tif 000006
【図５】
2004358816.tif 000007